(57)【要約】      （修正有）【課題】目地プレートが外壁面より突出して見苦しくなったり、危険になったりするのを阻止するとともに、スムーズにスライド移動させることができる床用目地装置を得る。【解決手段】一方の建物２の外壁面より低い上面を有する他方の建物７との間の目地部を覆う床用目地装置１において、前記一方の建物２の前記他方の建物７の低い上面と対応する部位で固定された一方のガイドレール１０と、他方の建物のほぼ同じ高さに固定された他方のガイドレール９と、後端部が前記他方のガイドレール９に前後方向に、他端部の一方が前記一方のガイドレール１０に、他方が前記低い上面４にスライド移動可能に支持される一方の目地プレート１３と、この一方の目地プレート１３の先端部がスライド移動可能に挿入される前記一方のガイドレール１０が設けられた外壁面に固定され、上端部が前記低い上面にスライド移動可能に支持される他方の目地プレート１７とで構成する。【選択図】図１
2010189933.tif 000002
【特許請求の範囲】
【請求項１】
一方の建物のコーナ部と目地部を介して設けられたＬ字状で、前記一方の建物の外壁面より低い上面を一方に有する他方の建物との間の上面位置の目地部を覆う床用目地装置において、前記一方の建物の前記他方の建物の低い上面と対応する部位で他方の建物の高い外壁面側の目地部側にほぼ水平方向となるように固定された一対のガイドレールと、この一対のガイドレールとほぼ同じ高さ部位の前記他方の建物の高い外壁面側にほぼ水平方向に固定された他方のガイドレールと、後端部が前記他方のガイドレールに前後方向にスライド移動可能に支持され、他端部の一方が前記一方のガイドレールにスライド移動可能に支持され、他方が前記低い上面にスライド移動可能に支持される一方の目地プレートと、この一方の目地プレートの先端部がスライド移動可能に挿入される後端部が前記一方のガイドレールに設けられた部位の外壁面に固定され、上端部が前記低い上面にスライド移動可能に支持される他方の目地プレートとからなることを特徴とする床用目地装置。
【請求項２】
他方の建物の低い上面の目地側には一方の目地プレートおよび他方の目地プレートが支持される目地プレート支持凹部ガ形成されるとともに、一方の目地プレートおよび他方の目地プレートのスライド移動ができるように、前記目地プレート支持凹部を覆うカバープレートが低い上面に固定されていることを特徴とする請求項１記載の床用目地装置。
【発明の詳細な説明】
【技術分野】
【０００１】
本発明は目地部がＬ字状に設けられた一方の建物と他方の建物との目地部を覆う床用目地装置に関する。
【背景技術】
【０００２】
従来、一方の建物のコーナ部と目地部を介して設けられたＬ字状で、一方が一方の建物の外壁面より低い上面を有する他方の建物との間の上面部位の目地部を覆う床用目地装置は他方の建物の上面と対応する部位の一方の建物の外壁面と、この外壁面と直角方向位置の他方の建物の外壁面とにスライド移動する目地プレートを設置して、一方の建物と他方の建物の異なる前後左右方向の揺れ動きを吸収することが考えられている。
【０００３】
しかしながら、このような一方の建物の外壁面と他方の建物の外壁面にスライド移動可能な目地プレートは、目地部が狭くなるような揺れ動き時に目地プレートが建物の外方へ突出して危険な状態になったり、見苦しくなるという欠点があった。
【先行技術文献】
【特許文献】
【０００４】
【特許文献１】特になし
【発明の概要】
【発明が解決しようとする課題】
【０００５】
本発明は以上のような従来の欠点に鑑み、地震によって、目地部が広くなったり、狭くなるような揺れ動きが生じても、目地プレートが建物の外壁面より突出して見苦しくなったり、危険になったりするのを確実に阻止するとともに、スムーズに一方の目地プレートと他方の目地プレートを、目地部を覆うようにスライド移動させることができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は一方の建物のコーナ部と目地部を介して設けられたＬ字状で、前記一方の建物の外壁面より低い上面を一方に有する他方の建物との間の上面位置の目地部を覆う床用目地装置において、前記一方の建物の前記他方の建物の低い上面と対応する部位で他方の建物の高い外壁面側の目地部側にほぼ水平方向となるように固定された一対のガイドレールと、この一対のガイドレールとほぼ同じ高さ部位の前記他方の建物の高い外壁面側にほぼ水平方向に固定された他方のガイドレールと、後端部が前記他方のガイドレールに前後方向にスライド移動可能に支持され、他端部の一方が前記一方のガイドレールにスライド移動可能に支持され、他方が前記低い上面にスライド移動可能に支持される一方の目地プレートと、この一方の目地プレートの先端部がスライド移動可能に挿入される後端部が前記一方のガイドレールに設けられた部位の外壁面に固定され、上端部が前記低い上面にスライド移動可能に支持される他方の目地プレートとで床用目地装置を構成している。
【発明の効果】
【０００８】
以上の説明から明らかなように、本発明にあっては次に列挙する効果が得られる。
【０００９】
（１）一方の目地プレートの先端部が他方の目地プレートにスライド移動可能に挿入されているので、目地部が広くなったり、狭くなったりする揺れ動き時に、他方の目地プレートより一方の目地プレートの先端部がスライド移動して、その揺れ動きを吸収することができる。
したがって、建物の外壁面より目地プレートが突出する不具合を確実に防止することができる。
【００１０】
（２）他方の目地プレートは一方の建物と一体になって揺れ動き、一方の目地プレートは他方の目地プレートの前後方向の揺れ動きと同方向に他方のガイドレールに沿って移動するので、一方の建物と他方の建物が異なる前後左右方向の揺れ動きが生じても、その揺れ動きを吸収することができる。
【００１１】
（３）一方の目地プレートの後端部を他方のガイドレールに前後方向にスライド移動可能に支持させるとともに、先端部側の一方を一方のガイドレールにスライド移動可能に支持させ、他方を他方の建物の低い上面にスライド移動可能に支持させているので、目地部に隙間が生じることなく、スムーズに地震の揺れ動きに対応したスライド移動が可能になる。
したがって、安全に使用することができる。
【００１２】
（４）他方の目地プレート内へ左右方向にスライド移動可能に一方の目地プレートを設けるとともに、一方の目地プレートを前後方向にスライド移動可能に設置すればよく、容易に設置することができる。
【００１３】
（５）請求項２も前記（１）〜（４）と同様な効果が得られるとともに、カバープレートによって段差を小さく、かつさらに安全に使用することができる。
【図面の簡単な説明】
【００１４】
【図１】本発明を実施するための第１の形態の平面図。
【図２】図1の２−２線に沿う断面図。
【図３】図1の３−３線に沿う断面図。
【図４】図1の４−４線に沿う断面図。
【図５】本発明を実施するための第１の形態の一方の目地プレートの説明図。
【図６】本発明を実施するための第１の形態の他方の目地プレートの説明図。
【図７】本発明を実施するための第１の形態の異なる前後方向の動作説明図。
【図８】本発明を実施するための第１の形態の異なる左右方向の動作説明図。
【図９】本発明を実施するための第２の形態の平面図。
【図１０】図9の１０−１０線に沿う断面図。
【図１１】本発明を実施するための第２の形態のカバープレートを外した状態の平面図。
【図１２】本発明を実施するための第３の形態の平面図。
【図１３】図１２の１３−１３線に沿う断面図。
【図１４】本発明を実施するための第３の形態の動作説明図。
【発明を実施するための形態】
【００１５】
以下、図面に示す本発明を実施するための形態により、本発明を詳細に説明する。
【００１６】
図１ないし図８に示す本発明を実施するための第１の形態において、１は一方の建物２のコーナ部２ａとＬ字状の目地部３を介して設けられた前記一方の建物２の外壁面２ｂより低い上面4の低い躯体５、この低い上面４の低い躯体５より高い躯体6を有する他方の建物7との間の低い上面4の位置の目地部を覆う床用目地装置で、この床用目地装置１は他方の建物７の低い上面４の躯体５の目地部側の低い上面４に形成された目地プレートスライド凹部８と、この目地プレートスライド凹部８の前記高い躯体６側の凹部壁８ａおよび外壁面７ａにほぼ水平方向となるように固定された他方のガイドレール９と、この他方のガイドレール９とほぼ同じ高さ部位の前記一方の建物２の高い躯体６側の目地部側にほぼ水平方向となるように固定された一方のガイドレール１０と、後端部が前記他方のガイドレール９に複数個のローラ１１を介して前後方向Ｘにスライド移動可能に支持され、他端部の一方が前記一方のガイドレール１０にローラ１２を介して左右方向Ｙにスライド移動可能に支持され、他方が前記低い上面４の目地プレートスライド凹部８のほぼ中央部に前後左右方向Ｘ、Ｙにスライド移動可能に支持された一方の目地プレート１３と、前記一方の建物２の一方のガイドレール１０が設けられた外壁面に、該一方のガイドレール１０とほぼ同じ高さ位置にほぼ水平方向となるように固定された目地プレート支持台１４と、この目地プレート支持台１４に後端部が固定され、先端部が前記目地プレートスライド凹部８のほぼ中央部に位置して、複数個のローラ１５によって前後左右方向Ｘ、Ｙにスライド移動でき、前記一方の目地プレート１３側に該一方の目地プレート１３の先端部が左右方向Ｙにスライド移動可能で、前後方向Ｘに一体となって移動できる一方の目地プレート収納部１６が形成された他方の目地プレート１７と、前記目地プレートスライド凹部８を前記目地一方の目地プレート１３および他方の目地プレート１７のスライド移動ができるように覆う、前記低い上面４に固定されたカバープレート１８とで構成されている。
【００１７】
上記構成の床用目地装置１は、通常時には一方の建物２と他方の建物７の低い上面４との間の目地部１３を一方の目地プレート１３および他方の目地プレート１７で覆われた状態となる。
地震によって一方の建物２と他方の建物７とが異なる左右方向Ｙに揺れ動いた場合、図８に示すように一方の目地プレート１３の先端部が他方の目地プレート１７の一方の目地プレート収納部１６内を左右方向Ｙにスライド移動し、目地部３に隙間なく覆うことができる。
また、一方の建物２と他方の建物７とが異なる前後方向Ｘに揺れ動いた場合、図７に示すように一方の目地プレート１３と他方の目地プレート１７が目地プレート支持凹部８内を前後方向Ｘにスライド移動して、その揺れ動きを吸収する。  この時、一方の目地プレート１３は一方のガイドレール１０に沿って前後方向Ｘにスライド移動するので、スムーズに移動できる。
なお、一方の目地プレート１３の先端部は他方の目地プレート１７の一方の目地プレート１３側の一方の目地プレート収納部１６内を左右方向Ｙにスライド移動するため、他方の目地プレート１７の反一方の目地プレート１３側の端部よりは突出することなく、安全で、きれいに端部を仕上げることができる。  
[発明を実施するための異なる形態]
【００１８】
次に、図９ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図９ないし図１１に示す本発明を実施するための第２の形態において、前記本発明を実施するための第１の形態と主に異なる点は、一方の目地プレート１３の端部１３ａより、他方の目地プレート１７の先端部を外方へ突出させ、前後左右方向Ｘ、Ｙ  のスライド移動時に一方の目地プレート１３と衝突しない外方へ突出させた先端部位に複数個のローラ１５を介して取付けるとともに、目地プレート支持凹部８を金属材製のカバープレート１９で覆った点で、このように構成しても前記第１の形態と同様な作用効果が得られるとともに、一方の目地プレート１３と他方の目地プレート１７とがスムーズに前後左右方向にスライド移動させることができる床用目地装置１Ａにすることができる。
【００２０】
図１２ないし図１４に示す本発明を実施するための第３の形態において、前記本発明を実施するための第１の形態と主に異なる点は、一方の目地プレート１３の先端部に、一方のガイドレール１０にスライド移動可能なローラ１２Ａを取付け、一方の建物２と他方の建物７が前後左右方向以外に揺れ動いた場合に、一方の目地プレート１３の先端部の一方のガイドレール１０にスライド可能なローラ１２Ａを支点に回動して、その揺れ動きを吸収できるようにした点で、このように構成された床用目地装置１Ｂにしても、前記本発明を実施するための第１の形態と同様な作用効果が得られる。
【産業上の利用可能性】
【００２１】
本発明は床用目地装置を製造する産業で利用される。
【符号の説明】
【００２２】
１、１Ａ、１Ｂ：床用目地装置、２：一方の建物、
３：目地部、                  ４：低い上面、
５：低い躯体、                ６：高い躯体、
７：他方の建物、                            
８：目地プレートスライド支持凹部、
９：他方のガイドレール、      １０：一方のガイドレール、
１１：ローラ、                Ｘ：前後方向、                                
１２：ローラ、                Ｙ：左右方向、
１３：一方の目地プレート、    １４：目地プレート支持台、
１５：ローラ、                                
１６：一方の目地プレート収納部、
１７：他方の目地プレート、    １８：カバープレート、
１９：カバープレート。
【図１】
2010189933.tif 000003
【図２】
2010189933.tif 000004
【図３】
2010189933.tif 000005
【図４】
2010189933.tif 000006
【図５】
2010189933.tif 000007
【図６】
2010189933.tif 000008
【図７】
2010189933.tif 000009
【図８】
2010189933.tif 000010
【図９】
2010189933.tif 000011
【図１０】
2010189933.tif 000012
【図１１】
2010189933.tif 000013
【図１２】
2010189933.tif 000014
【図１３】
2010189933.tif 000015
【図１４】
2010189933.tif 000016